(57)【特許請求の範囲】
【請求項１】
画像データを格納する手段、該格納された画像データをネットワークを介して他の通信装置に送信する手段、これらを制御する制御手段とを備えた送信装置と、
ネットワークを介して前記送信装置より送信された画像データを受信する手段、該受信した画像データを格納する格納手段、当該格納された画像データを表示する手段とを備えた複数の受信装置と
からなるプレゼンテーション用装置において、
前記制御手段は、前記複数の受信装置の格納手段の格納領域のサイズと、すでに送信済みである画像データのサイズとから、前記複数の受信装置の格納手段で利用可能な格納領域のサイズを算出し、算出した前記複数の受信装置の利用可能な格納領域のサイズのうち最も小さな格納領域のサイズよりも、送信すべき画像データのサイズが大きい場合に、当該受信装置が備える格納手段に格納済みの画像データのうち消去すべき画像データを決定し、その決定情報を当該受信装置に通知し、該通知を受けた受信装置は該通知が示す画像データを消去する
ことを特徴とするプレゼンテーション用装置。
【請求項２】
前記制御手段が消去すべき画像データを決定するために、前記受信装置が備える格納手段に格納された画像データの情報を表示し、該表示に基づいて消去すべき画像データを操作者が選択できるように表示する手段を、前記送信装置がさらに備えることを特徴とする請求項１記載のプレゼンテーション用装置。
【発明の詳細な説明】
【０００１】
【発明の属する技術分野】
本発明は、プレゼンテーション用の画像データを、制御装置の指示に基づいて表示装置に表示するプレゼンテーション用装置、プレゼンテーション方法、プレゼンテーション用制御装置、プレゼンテーション用表示装置及びプレゼンテーション用コンピュータプログラムに関する。
【０００２】
【従来の技術】
半導体メモリ、磁気ディスク（ＨＤＤ、ＦＤＤ）等の電子情報記録媒体に格納された画像情報、音声情報を表示、再生することにより、プレゼンテーションを行なうことが可能なプレゼンテーションシステムとしては、特開２００１−１０３４３９（平成１３年４月１３日公開）のような先行技術が存在する。
【０００３】
このプレゼンテーションシステムを用いれば、制御装置からネットワークを介して接続された表示装置にプレゼンテーション用の複数の画像データを送信し、制御装置の指示に基づいてこれらの画像データを表示装置に表示することによりプレゼンテーションを行なうことが可能である。
【０００４】
しかしながら、このプレゼンテーションシステムにおいては、表示装置に設けられた画像データの格納領域が、現実のプレゼンテーションで用いる画像データのサイズ（情報量）よりも小さい場合、表示装置の格納領域で全ての画像データを蓄積することができなかった。この場合に、画像データを送信する制御装置側では、表示装置側の格納領域の大きさが十分でなくプレゼンテーションで用いる全ての画像データを格納できないことを予め認識できないために、プレゼンテーションの途中で画像データを送信できなくなり、結果としてプレゼンテーションを実施できなくなるという問題があった。
【０００５】
【発明が解決しようとする課題】
上述したように、従来のプレゼンテーションシステムでは、表示装置の格納領域がプレゼンテーションで用いる画像データのサイズよりも小さい場合、プレゼンテーションで用いる画像データをすべて格納できないことが事前にユーザーが認識できないために、プレゼンテーションの途中で画像データを送信できなくなる、という問題があった。
【０００６】
本発明は、表示装置で利用可能な格納領域のサイズを取得し、その情報を元に送信予定の画像データを表示装置で格納可能かどうかを判断し、その判断結果を元に表示装置の格納手段に格納されている画像データの消去を決定し、制御装置で指定された画像データを消去することにより、表示装置の格納領域の大きさが十分大きくない場合にも、プレゼンテーション用の画像データを送信することが可能なプレゼンテーション用装置、プレゼンテーション方法、プレゼンテーション用制御装置、プレゼンテーション用表示装置及びプレゼンテーション用コンピュータプログラムを提供することを目的とする。
【０００７】
【課題を解決するための手段】
以上の問題を解決するために、本発明は、画像データを格納する手段、該格納された画像データをネットワークを介して他の通信装置に送信する手段、これらを制御する制御手段とを備えた送信装置と、ネットワークを介して前記送信装置より送信された画像データを受信する手段、該受信した画像データを格納する格納手段、当該格納された画像データを表示する手段とを備えた複数の受信装置とからなるプレゼンテーション用装置において、前記制御手段は、前記複数の受信装置の格納手段の格納領域のサイズと、すでに送信済みである画像データのサイズとから、前記複数の受信装置の格納手段で利用可能な格納領域のサイズを算出し、算出した前記複数の受信装置の利用可能な格納領域のサイズのうち最も小さな格納領域のサイズよりも、送信すべき画像データのサイズが大きい場合に、当該受信装置が備える格納手段に格納済みの画像データのうち消去すべき画像データを決定し、その決定情報を当該受信装置に通知し、該通知を受けた受信装置は該通知が示す画像データを消去することを特徴とする。
【００１３】
【発明の実施の形態】
以下、図面を参照して本発明の実施の形態について詳細に説明する。
（本願発明の基本となる実施の形態）
本実施の形態は、画像データを受信、表示する表示装置と画像データの送信、表示を制御する制御装置とを備えたプレゼンテーション装置において、画像データの受信先である表示装置で利用可能な画像データの格納領域の大きさに応じて、プレゼンテーション用の画像データの送信、格納、表示方法を制御する機能を提供する。
【００１４】
図１は本発明の基本となる実施の形態に係るプレゼンテーション装置を示すブロック図である。
【００１５】
プレゼンテーション装置は、制御装置100と、表示装置200とから構成される。制御装置100は、プレゼンテーションの発表者（または操作者）が利用する情報処理装置で、画像データの格納手段101と、画像データ等の送信手段105と、格納領域サイズ取得手段102と、格納可否判断手段103と、消去データ決定手段104とを備えている。表示装置200は、プレゼンテーションの聴講者のために使用する情報処理装置で、プレゼンテーション用の画像データの受信手段202と、画像データの格納手段203と、画像データの表示手段201とを備えている。
【００１６】
画像データの格納手段101は、例えば半導体メモリ、磁気ディスク装置、光ディスク装置、光磁気ディスク装置などの情報記憶媒体で構成され、プレゼンテーションで用いる画像データそのもののほか、画像データの情報量（データサイズ）、表示装置200への送信状態（送信済み、または未送信）などのデータ属性情報などを当該画像データに関連づけて格納する。
【００１７】
格納領域サイズ取得手段102は、表示装置200の画像データの格納手段203の利用可能な格納領域のサイズを取得する。取得方法としては、制御装置に既知の表示装置であれば画像データの送信前に予め格納手段の格納領域サイズが分かっている場合もあるが、未知の表示装置である場合には、画像データの送信前に制御装置が表示装置に画像データの格納領域サイズを問い合わせることにより当該サイズを知ることができる。格納領域サイズ取得手段102は、表示装置200の画像データの格納手段のデータ格納前の領域サイズ（初期値）から既に送信済みの画像データのデータサイズを減算することにより現在利用可能な格納領域の格納サイズを取得することができる。
【００１８】
格納可否判断手段103は、前記格納領域サイズ取得手段102が取得した格納領域サイズを元に、これから送信すべきの画像データを表示装置200の格納手段203が格納可能かどうかを判断する。具体的には、表示手段200で現在利用可能な格納手段の格納領域サイズと制御装置100が送信すべき画像データのサイズを比較して、格納手段の格納領域サイズの方が大きいかまたは等しい場合には、画像データを「格納可能」と判断し、画像データのサイズの方が大きい場合には画像データを「格納不可」と判断する。
【００１９】
「格納不可」の場合には、これから受信、表示すべき画像データの格納領域を確保するため、消去データ決定手段104は、格納可否判断手段103の判断結果を元に、表示装置200の格納手段203に格納されている画像データの中から、消去すべき画像データを決定する。具体的には、送信装置100がこれから送信すべき画像データのサイズよりも、表示装置200の格納手段の格納領域サイズの方が大きくなるように、消去すべき画像データを選択、決定する。消去すべき画像データの選択方法については後述する。
【００２０】
送信手段105は、発表者の指示に基づき、プレゼンテーションで用いる画像データのほか、画像データの表示を表示装置200に要求する表示要求メッセージ情報、消去データ決定手段104の決定した画像データの消去要求メッセージ情報などを表示装置200の受信手段202に送信する。
【００２１】
表示装置200の受信手段202は、制御装置100から送信された画像データ、画像データの表示を要求する表示要求メッセージ情報、画像データの消去要求メッセージ情報を受信する。格納手段203は、例えば半導体メモリ、磁気ディスク装置、光ディスク装置、光磁気ディスク装置などの情報記憶媒体で構成され、受信手段202が受信したプレゼンテーション用の画像データを格納する。制御装置100から要求があった場合には、画像データの消去要求メッセージで指定された画像データを消去する。
【００２２】
表示手段201は、受信手段202が受信した表示要求メッセージを元に、該当する画像データを格納手段203から検索し、その画像を表示する。
【００２３】
具体的なプレゼンテーション装置の動作手順について詳述する。
【００２４】
制御装置100の操作者から表示装置200に送付すべき画像データが指定されると、送信手段105は、表示装置200に送信する送信データを決定するために、格納手段101に格納されている前記画像データの属性情報を読み取る。格納手段101には、送信すべき画像データのほか、前記画像データへのリンク情報（画像ファイル名など）、画像データのサイズ（情報量）、表示装置200での格納状況（格納済みまたは未格納）などの属性情報が格納されている（図２参照）。なおこれらの画像データの属性情報は、都度、ネットワークを介して制御装置100が表示装置200から取得することも可能である。
【００２５】
表示すべき画像データの属性情報を参照し、画像データの表示装置200での格納状況が「格納済」であれば、送信手段105は、表示装置200へ、当該画像データの表示要求メッセージ情報を送付する。受信手段202は、前記表示要求メッセージ情報を受信すると、表示手段201へ当該画像データの表示要求を出す。表示手段201は、前記メッセージで指定された画像データを格納手段203の中から検索し、その画像を表示する。
【００２６】
一方表示すべき画像データの属性情報を参照し、画像データの表示装置200での格納状況が「未格納」であれば、送信手段105は、格納可否判断手段103に、該データが表示装置200に格納可能か否かの判断を要求する。格納可否判断手段103は、格納領域サイズ取得手段102から、表示装置200の利用可能な格納領域のサイズを取得し、前記指定された画像データのサイズと比較する。具体的には、格納領域サイズ取得手段102は、プレゼンテーションの開始時に表示装置200の格納領域サイズを格納し、この格納領域サイズから既に表示装置200に送付した画像データの合計サイズを減算することにより、現在利用可能な残りの格納領域サイズを計算する。
【００２７】
格納可否判断手段103が、該送信すべき画像データを「格納可能」と判断すると、送信手段105は、格納手段101より前記画像データを取得し、表示装置200へ送付する。
【００２８】
一方、表示装置の格納手段の利用可能な領域サイズが送信すべき画像データのサイズより小さく、格納可否判断手段103が画像データの「格納不可」と判断すると、当該画像データを格納するのに必要な格納領域を確保するため、送信手段105は、消去データ決定手段104に、送信済みの画像データから消去すべき画像データを決定するよう要求する。例えば、消去データ決定手段104は、格納手段101より、プレゼンテーションで用いる画像データの中から表示装置200へ送信した時間のいちばん古い画像データから順に消去すべき画像データと決定する。
【００２９】
なお、消去すべき画像データの決定方法としては、説明した方法以外にも、（１）画像データのサイズ順（データサイズの大きい画像データを先に消去する）、（２）表示装置200に格納されたプレゼンテーションで用いる画像データのうち、表示済のデータ順（プレゼンテーションにおいて最初に表示された画像データを先に消去する）、（３）プレゼンテーションにおいて優先度の低い順（発表題目や目次などの書誌事項が記載された画像データを先に消去する）等の基準に基づいて選択、決定してもよい。
【００３０】
送信手段105は、このような基準に基づいて決定された画像データの消去メッセージ情報を表示装置200に送信する。表示装置200の受信手段202が上記画像データの消去メッセージを受信すると、表示装置は格納手段203に格納された当該画像データを消去する。制御装置100の送信手段105は、前記画像データの消去メッセージを送信後、制御装置の操作者が表示を指定した画像データを送信する。
【００３１】
表示装置200の受信手段202は、前記画像データを受信すると、受信した画像データを格納手段203へ送り、格納手段203は、前記受信した画像データを格納する。受信手段202は、制御装置100からの表示要求メッセージに基づき、表示手段201へ当該画像データを表示するよう要求する。表示手段201は、画像データを表示する。
【００３２】
このようにして、表示装置の格納領域の大きさにかかわらず、プレゼンテーション用の画像データを送信することが可能なプレゼンテーションシステムを提供することが可能となる。
【００３３】
本実施の形態においては、制御装置100は、携帯情報端末（パーソナルデータアシスタント(PDA)）、パーソナルコンピュータ(PC) などが考えられる。また表示装置200は、画像を白色スクリーンに投影するプロジェクター、投影された画像を発表者がモニターするためプロジェクターに接続されたPC、聴講者が視聴可能な大画面のデジタルテレビジョン装置、その他のPCなどが考えられる。
【００３４】
本装置を利用することにより、プレゼンテーションの発表者は、制御装置100に格納したプレゼンテーション用の画像データ、その画像データの表示を制御する制御信号を聴講者が利用可能な表示装置200に送付すると共に、送付したプレゼンテーション用の画像データを各表示装置200で同期させて表示させることによりプレゼンテーションを進めることができる。
【００３５】
なお、プレゼンテーション用の画像データは、発表者がプレゼンテーション作成ツール、画像作成ツールなどで事前に作成したスライド用の画像データ、デジタルカメラ、デジタルビデオで撮影したり、画像スキャナで取り込んだりした画像ファイルなどを用いることができる。
【００３６】
次に本発明のプレゼンテーション装置を利用したプレゼンテーション方法を説明する。
【００３７】
図３に本方法のフローチャートを示す。制御装置はＮ番目（Ｎ≧１）の画像データを送信する（ステップＳ１０１）。次に（Ｎ＋１）番目の画像データを送信するに先立ち、制御装置が（Ｎ＋１）番目の画像データを送信可能かどうか、換言すれば、受信装置が（Ｎ＋１）番目の画像データを受信、格納可能かどうかを判定する。具体的には、表示装置に備えられた画像データの格納手段のメモリ残量が（Ｎ＋１）番目の画像データ量よりも大きいか否かを判定する（ステップＳ１０２）。
【００３８】
ここで、格納手段のメモリ残量が（Ｎ＋１）番目の画像データ量よりも大きい場合（または等しい場合）には、「送信可」または「格納可」と判断し、制御装置は（Ｎ＋１）番目の画像データを送信する（ステップＳ１０３）。一方、格納手段のメモリ残量が（Ｎ＋１）番目の画像データ量よりも小さい場合には、「送信不可」または「格納不可」と判断し、表示装置の格納手段の領域サイズを拡張する作業を行なう。具体的には、表示装置の格納手段に既に格納された画像データのうち消去すべき画像データを決定する（ステップＳ１０４）。消去すべき画像データの決定基準については、前述した選択、決定基準を用いることができる。消去すべき画像データが決定されると、制御手段は当該画像データの消去要求メッセージを送信する（ステップＳ１０５）。しかる後に、（Ｎ＋１）番目の画像データを送信する（ステップＳ１０３）ことにより、表示装置の格納手段のメモリ残量が少ない場合にも必要な領域サイズを拡張し、表示装置の格納手段に（Ｎ＋１）番目の画像データを格納して、プレゼンテーションを実施することができる。
（第１の実施の形態）
本発明の実施形態は、画像データを受信、表示する複数の表示装置と画像データを送信及び画像データの表示を制御する制御装置とを備えたプレゼンテーション装置において、プレゼンテーションで用いる画像データの受信先となる複数の表示装置のデータ格納領域の大きさに応じて、プレゼンテーション用の画像データの送信方法を制御する機能を提供する。
【００３９】
図４は本発明に係るプレゼンテーション装置の一実施の形態を示すブロック図である。プレゼンテーション装置は、制御装置100と、表示装置200とが、ネットワーク300を介して接続されて構成される。本発明の基本となる実施例との構成上の相違は、複数の表示装置200がネットワーク300を介して制御装置100と接続されている点である。
【００４０】
本実施例において、制御装置100は、プレゼンテーションの発表者が利用する情報処理装置で、実施上は、PDA、PC などで構成される。表示装置200は、プレゼンテーションの聴講者が利用する情報処理装置で、実施上は、プロジェクター、プロジェクターに接続された PC、デジタルテレビ、PCなどで構成される。ネットワーク300はイーサネット(Ethernet) 等を用いた LAN (ローカルエリアネットワーク)、公衆回線によってネットワーク間を相互接続したWAN(ワイドエリアネットワーク)、IrDA(赤外線通信)、シリアルケーブルおよびパラレルケーブル等を用いてコンピュータ間を直接接続する形態のネットワークを指す。このネットワークの物理的構成は有線回線、無線回線とを問わない。ここで図４では２台の表示装置200をネットワーク300を介して制御装置100と接続する構成例を示したが、３台以上同時に接続してもよい。
【００４１】
本実施形態においては、プレゼンテーションの発表者（または制御装置100の操作者）は、制御装置100に格納されているプレゼンテーション用のデータを、聴講者が利用する複数の表示装置200にネットワーク300を介して送付すると共に、送付したプレゼンテーション用のデータを各表示装置200で同期させて表示させることによりプレゼンテーションを進めることができる。
【００４２】
制御装置100、表示装置200は、本発明の基本となる実施例における制御装置100、表示装置200で用いたのと同様の構成の装置を採用することができる。ただし複数の表示装置200は同種の装置で構成（例えば複数の画像プロジェクタ装置を並列に接続、配置する）してもよいし、異種の装置で構成（例えば画像プロジェクタ装置とデジタルテレビジョン再生装置との組み合わせ、画像プロジェクタ装置と画像ディスプレイ付きのパーソナルコンピュータとの組み合わせなど）してもよい。
【００４３】
ネットワーク300を介して複数の表示装置200を制御装置100と接続する場合、複数の表示装置に設けられた格納手段の格納領域のサイズ（大きさ）が等しい場合には、本発明の基本となる実施例と同様の方法により、利用可能な格納領域のサイズを確認しながら、画像データを転送、表示することができる。
【００４４】
しかしネットワークに接続された複数の表示装置のそれぞれの格納手段の領域サイズ（大きさ）が異なる場合には、以下の方法により、画像データの転送を行なう。
【００４５】
すなわち表示装置200が複数存在する時には、複数の表示装置毎の利用可能な格納領域サイズを確認し、複数の画像装置中の一番小さい利用可能な格納領域サイズを有する格納手段の格納領域サイズに基づいて、画像データの送信可否、格納可否を判断する。
【００４６】
なお表示装置の格納領域のサイズに関しては、プレゼンテーション中の表示装置200の格納手段203の利用可能な格納領域のサイズが格納された画像データ以外のデータサイズ（情報量）によって変動する場合もある。この場合には、その都度、または定期的にネットワーク300を介して表示装置200から利用可能な格納領域サイズを取得することにより画像データの転送を実現することができる。
【００４７】
現実の制御装置、表示装置を組み合わせた具体的なプレゼンテーション装置の構成例を図５に示す。この例では、携帯型のパーソナルコンピュータ（Note PC）でプレゼンテーション用制御装置100を構成すると共に、白色スクリーンに画像を投影する投射型の画像プロジェクタ、携帯型のパーソナルコンピュータ（Note PC）でプレゼンテーション用表示装置200を構成する。これらの制御装置、表示装置は、Bluetoothなどの無線インターフェースを介してデータの送受信を行なう。
【００４８】
制御装置100にはプレゼンテーション用の画像データが蓄積されており、操作者が制御装置を操作することにより、画像データが表示装置200に送信され、それぞれの表示装置で画像が表示される。制御装置100を構成するパーソナルコンピュータの画像格納領域と比較して、表示装置200を構成する画像プロジェクタの画像格納領域サイズが小さいと、制御装置200を構成するパーソナルコンピュータに格納されたプレゼンテーション用画像データの全てを画像プロジェクタの画像格納領域に格納することができない場合がある。また制御装置100を構成するパーソナルコンピュータの格納領域（例えば、HDD：ハードディスクドライブなど）の容量よりも、表示装置200を構成するパーソナルコンピュータの格納領域（HDD）の容量の方が小さい場合にも同様の問題が生じうる。
【００４９】
このような場合には、表示装置200で利用可能な格納領域サイズを制御装置100でモニタしながら画像データの転送を行ない、一時的に表示装置の格納領域サイズが不足しても、削除すべき画像データを決定して、表示装置に格納済みの画像データを削除することにより、利用可能な格納領域を確保して、新たな画像データを格納、表示することが可能となる。本構成例においては、画像データの送信、表示、格納領域サイズ取得、格納可否判断、消去データ決定等の機能は、パーソナルコンピュータにインストールされたソフトウェア（コンピュータプログラム）を用いて実現される。
（第２の実施の形態）
次に本発明の第２の実施の形態について説明する。
【００５０】
図６は本実施形態に係るプレゼンテーション装置の構成例を示すブロック図である。
【００５１】
制御装置100は、画像データの格納手段101と、送信手段105と、格納領域サイズ取得手段102と、格納可否判断手段103と、消去データ決定手段104と、表示手段106とを備えている。格納手段101、送信手段105、格納領域サイズ取得手段102、格納可否判断手段103、消去データ決定手段104は、本発明の基本となる実施形態、および、第１の実施形態と同様である。表示装置200は、受信手段202と、格納手段203と、表示手段201とを備えている。表示装置200は、本発明の基本となる実施形態、および、第１の実施形態と同様である。制御装置100における表示手段105は、プレゼンテーションで用いる画像データの送信、格納状況、消去確認を表示するものである。
【００５２】
表示装置の表示例を図７に示す。例えば、プレゼンテーションにおいて複数の画像データを表示する場合に、それぞれの画像データごとに、送信、格納済みの画像データ名（またはファイル名）とそのデータサイズ（またはファイルサイズ）を対応づけて表示する。
【００５３】
ここで、表示装置の格納手段の利用可能な領域サイズが、これから送信すべき画像データのサイズ（情報量）よりも小さく、制御装置が当該画像データを送信できない（または表示装置が当該画像データを格納できない）場合には、制御装置100の格納可否判断手段103は前記データ格納不可能と判断し、制御装置の送信手段105は、消去データ決定手段104に、消去すべき画像データを決定するよう要求する。消去すべき画像データを決定するため、消去データ決定手段104は、表示手段106へプレゼンテーションで用いる画像データの一覧表示を要求する。
【００５４】
表示手段106は、格納手段101より、プレゼンテーションで用いる画像データ名、画像サイズ、表示装置200での格納状況を取得し、一覧表示を行なう。制御装置の操作者は、表示装置の格納手段に格納済の画像データの中から、消去すべき画像データを指定する。消去すべき画像データの指定作業を、利用可能な格納領域のサイズが表示要求をおこなった画像データ（すなわちこれから送信すべき画像データ）のデータサイズより大きくなるまで繰り返す。
【００５５】
このようにして、消去データ決定手段104は消去すべき画像データ（または画像データ群）を決定する。送信手段105は、前記で決定された消去メッセージ情報をネットワーク300を介して、表示装置200に送信する。表示装置200の受信手段202で上記メッセージを受信すると、表示装置は指定された画像データを消去して、占有されていた格納領域を開放する。
【００５６】
送信手段105は、操作者が表示を指定した画像データ（送信すべき画像データ）を送信する。受信手段202は、前記画像データを受信すると、受信データを格納手段203へ送り、格納手段203は、受信された画像データを格納すると共に、表示手段201へ表示する。
【００５７】
この実施形態において、画像データの一覧表示を行なう場合には、画像データ名、データサイズと対応づけてプレゼンテーション用画像データの縮小画像を併せて表示してもよい。この場合には、画像データの縮小画像の内容を表示装置で確認しながら消去すべき画像データを選択、決定することができる。また図２に示したように画像データ名、データサイズと対応づけて、その画像データの送信、格納状況（送信済み、格納済みまたは未送信、未格納）を併せて表示してもよい。
【００５８】
また、制御装置の表示手段106は、操作者が表示要求をおこなった画像データ（これから送信すべき画像データ）を含めて画像データを一覧表示することもできる。この場合には、操作者がこれから送信すべき画像データを選択すると、消去データ決定手段104は、該画像データを消去データとして決定する。消去データ決定手段104は、送信手段105に、前記画像データの送信中止を要求し、送信を中止する。
【００５９】
また、制御装置の表示手段106は、表示装置200でのプレゼンテーションで用いる画像データの消去を必要としない場合でも、既にに送信、格納した画像データの情報（データ名、データサイズ、格納状況、縮小画像）表示することができるようにしてもよい。この場合には、操作者は、現在どの画像データが表示装置に格納されているかを随時知ることができるため、画像データの転送状況に合わせたプレゼンテーションを行なうことが可能になる。これにより、従来、操作者は表示装置の格納手段にどの画像データが格納されているかを知ることができなかったため、表示すべき未格納の画像データの転送に時間を要し、プレゼンテーションが途中で途切れてしまうことになりかねなかったが、操作者が画像データの転送状況を随時確認することができるため、かかる問題を解消することが可能となる。
【００６０】
【発明の効果】
以上説明したように、本発明によれば、プレゼンテーション用表示装置の画像データの格納領域を十分に確保できない場合おいても、プレゼンテーション用の画像データを送信方法を制御することにより、円滑なプレゼンテーションを実施することが可能となる。
【図面の簡単な説明】
【図１】  本発明の基本となる実施形態におけるプレゼンテーション装置の構成例を示す図
【図２】  格納手段に格納されている画像データの属性情報を示す図
【図３】  本発明の基本となる実施形態におけるプレゼンテーション方法のフローチャート
【図４】  第１の実施形態におけるプレゼンテーション装置の構成例を示す図
【図５】  第１の実施形態における具体的なプレゼンテーション装置の構成例を
示す図
【図６】  第２の実施形態におけるプレゼンテーション装置の構成例を示す図
【図７】  第２の実施形態における表示手段の表示例（一覧情報）を示す図
【符号の説明】
100… 制御装置
101… 格納手段
102… 格納領域サイズ取得手段
103… 格納可否判断手段
104… 消去データ決定手段
105… 送信手段
106… 表示手段
200… 表示装置
201… 表示手段
202… 受信手段
203… 格納手段
300… ネットワーク
【図１】
0003907162.tif 000002
【図２】
0003907162.tif 000003
【図３】
0003907162.tif 000004
【図４】
0003907162.tif 000005
【図５】
0003907162.tif 000006
【図６】
0003907162.tif 000007
【図７】
0003907162.tif 000008